(57)【要約】【課題】  １以上のＩＣチップを有し、かつ２以上のデータ記録媒体を有するＩＣチップ搭載媒体に、適切なデータをそれぞれの記録媒体に発行するＩＣチップ搭載媒体の発行システムを提供する。【解決手段】  少なくとも１以上のＩＣチップを有するＩＣチップ搭載媒体のための発行システムであって、チップＩＤ用いてＩＣチップ搭載媒体の識別を行うことを特徴とする。【選択図】    図１
2008262527.tif 000002
【特許請求の範囲】
【請求項１】
少なくとも１以上のＩＣチップを搭載しているＩＣチップ搭載媒体の発行システムであって、
前記ＩＣチップの内蔵メモリの所定領域に予め記録された固有識別番号を読み出し、読み出した固有識別番号に基づいて、当該ＩＣチップ搭載媒体に第１の発行処理が既に行われたか否かを判定し、第１の発行処理が行われていない場合に、前記ＩＣチップの内蔵メモリのデータ書込み領域に発行処理を施す第１の発行処理手段と、
前記第１の発行処理手段を制御する制御手段と
を備えることを特徴とするＩＣチップ搭載媒体の発行システム。
【請求項２】
前記ＩＣチップ搭載媒体に発行処理が既に施されており、かつそのＩＣチップ搭載媒体が不良品であることを前記制御手段の制御に基づいて前記第１の発行処理手段が判明した場合に、当該不良品であるＩＣチップ搭載媒体を排出する第１の不良品排出部をさらに備えることを特徴とする請求項１記載のＩＣチップ搭載媒体の発行システム。
【請求項３】
前記ＩＣチップの内蔵メモリの前記所定領域に予め記録された固有識別番号を読み出し、読み出した固有識別番号に基づいて、前記第１の発行処理手段で行われる発行処理とは異なる第２の発行処理を前記固有識別番号を用いてＩＣチップ搭載媒体の磁気ストライプに対して施す第２の発行処理手段をさらに備え、前記制御手段は前記第１の発行処理手段と共に前記第２の発行処理手段を制御することを特徴とする請求項１記載のＩＣチップ搭載媒体の発行システム。
【請求項４】
前記ＩＣチップ搭載媒体に発行処理が既に施されており、かつそのＩＣチップ搭載媒体が不良品であることを前記制御手段の制御に基づいて前記第２の発行処理手段が判明した場合に、当該不良品であるＩＣチップ搭載媒体を排出する第２の不良品排出部をさらに備えることを特徴とする請求項３記載のＩＣチップ搭載媒体の発行システム。
【請求項５】
前記ＩＣチップ搭載媒体に発行処理が既に施されており、かつそのＩＣチップ搭載媒体が良品であることを前記制御手段の制御に基づいて前記第１の発行処理手段が判明した場合に、当該良品であるＩＣチップ搭載媒体を前記第２の発行処理手段に搬送することを特徴とする請求項４記載のＩＣチップ搭載媒体の発行システム。
【請求項６】
前記ＩＣチップ搭載媒体に発行処理が既に施されており、かつそのＩＣチップ搭載媒体が良品であることを前記制御手段の制御に基づいて前記第２の発行処理手段が判明した場合に、当該良品であるＩＣチップ搭載媒体を回収する良品回収部をさらに備えることを特徴とする５記載のＩＣチップ搭載媒体の発行システム。
【請求項７】
前記制御手段は、前記第１の発行処理手段及び第２の発行処理手段に発行データを指定する発行ソフト部と、前記第１の発行処理手段で読み取った前記固有識別番号の検索を可能とする第１のファイル部と、前記第２の発行処理手段で読み取った前記固有識別番号の検索を可能とする第２のファイル部と、前記第１の発行処理手段での第１の発行処理が正常に行われたＩＣチップ搭載媒体の前記固有識別番号を記録する第３のファイル部とを備えてなることを特徴とする請求項３記載のＩＣチップ搭載媒体の発行システム。
【請求項８】
前記制御手段は、前記第１の発行処理手段で読み取られた前記固有の識別番号を前記第１のファイル部内で検索し、搬送されてきたＩＣチップ搭載媒体について第１の発行処理が未発行であるか又は発行済みであるかを判定することを特徴とする請求項７記載のＩＣチップ搭載媒体の発行システム。
【請求項９】
前記第１の発行処理手段は、前記制御手段にて前記ＩＣチップ搭載媒体について第１の発行処理が未発行であると判定すると、前記制御手段の発行ソフト部から指定された発行データを前記ＩＣチップ搭載媒体の前記ＩＣチップの内蔵メモリのデータ書込み領域に書き込んで第１の発行処理を行うことを特徴とする請求項８記載のＩＣチップ搭載媒体の発行システム。
【請求項１０】
前記第１の発行処理部は、さらに前記第１の発行処理として前記指定された発行データに基づいた情報を前記ＩＣチップ搭載媒体に設けられた印字領域にレーザマーカを用いて印字・刻印することを特徴とする請求項７記載のＩＣチップ搭載媒体の発行システム。
【請求項１１】
前記制御手段は、前記第１の発行処理部による前記第１の発行処理毎に、前記第１のファイル部に発行処理結果に応じた必要データを記録することを特徴とする請求項７記載のＩＣチップ搭載媒体の発行システム。
【請求項１２】
前記制御手段は、前記第１の発行処理手段による第１の発行処理が前記ＩＣチップ搭載媒体に正常に行われたごとに前記第３のファイル部に当該ＩＣチップ搭載媒体の前記固有識別番号を記録することを特徴とする請求項７記載のＩＣチップ搭載媒体の発行システム。
【請求項１３】
前記制御手段は、前記第２の発行処理手段で読み取られた前記固有の識別番号を前記第２のファイル部内で検索し、搬送されてきたＩＣチップ搭載媒体について第２の発行処理が未発行であるか又は発行済みであるかを判定することを特徴とする請求項７記載のＩＣチップ搭載媒体の発行システム。
【請求項１４】
前記制御手段は、搬送されてきたＩＣチップ搭載媒体について第２の発行処理が未発行であると判定すると、前記固有の識別番号を前記第３のファイル部内で検索し、当該ＩＣチップ搭載媒体に前記第１の発行処理に関するデータが未発行であるか又は発行済みであるかを判定することを特徴とする請求項１３記載のＩＣチップ搭載媒体の発行システム。
【請求項１５】
前記制御手段は前記固有の識別番号が前記第３のファイル部内に記録されてなければ、当該ＩＣチップ搭載媒体は前記第１の発行処理が未発行であると判定し、第２の発行処理手段による前記第２の発行処理を実行させることなく当該ＩＣチップ搭載媒体を前記第２の不良品排出部に排出させることを特徴とする請求項１４記載のＩＣチップ搭載媒体の発行システム。
【請求項１６】
前記制御手段は前記固有の識別番号が前記第３のファイル部内に記録されていれば、当該ＩＣチップ搭載媒体は前記第１の発行処理部により良品とされたと判定し、第２の発行処理手段による前記第２の発行処理を当該ＩＣチップ搭載媒体の磁気ストライプに実行させることを特徴とする請求項１４記載のＩＣチップ搭載媒体の発行システム。
【請求項１７】
前記制御手段は、搬送されてきたＩＣチップ搭載媒体について第２の発行処理が発行済みであると判定すると、前記第２のファイル内の該当固有識別情報と同じ行に記録されてある処理結果を参照し、該当ＩＣチップ搭載媒体が良品であるか否かを確認することを特徴とする請求項１３記載のＩＣチップ搭載媒体の発行システム。
【請求項１８】
前記制御手段は、前記処理結果を参照した結果、該当ＩＣチップ搭載媒体が良品であることを確認すると前記第２の発行処理手段から前記該当ＩＣチップ搭載媒体を前記良品回収部に搬送させ、一方該当ＩＣチップ搭載媒体が不良品であることを確認すると前記第２の発行処理手段から前記該当ＩＣチップ搭載媒体を前記第２の不良品排出部に搬送させることを特徴とする請求項１３記載のＩＣチップ搭載媒体の発行システム。
【請求項１９】
前記制御手段は、前記第２の発行処理手段による前記第２の発行処理が完了後、固有の識別番号を再度読み取らせ、前記第２の発行処理の実施前に読み取られた前記固有識別番号と比較し、前記第２の発行処理の前と後とで前記ＩＣチップ搭載媒体が入れ替わっていないか否かを確認することを特徴とする請求項１６記載のＩＣチップ搭載媒体の発行システム。
【請求項２０】
前記制御手段は、前記第２の発行処理の前と後とで前記ＩＣチップ搭載媒体の前記固有識別番号が同一でなければ当該ＩＣチップ搭載媒体を前記第２の不良品排出部に搬送させ、同一であれば前記第２のファイル部に必要事項を記録してから当該ＩＣチップ搭載媒体を前記良品回収部に搬送させることを特徴とする請求項１９記載のＩＣチップ搭載媒体の発行システム。
【請求項２１】
少なくとも前記第１の発行処理手段、前記第２の発行処理手段を有し、全ての発行処理手段において、前記固有識別番号を用いて前記ＩＣチップ搭載媒体の識別を行うことを特徴とする請求項３記載のＩＣチップ搭載媒体の発行システム。
【請求項２２】
前記全ての発行ステージにおいて、非接触方式でＩＣチップを読み取り、前記チップＩＤを用いて非接触式ＩＣチップ搭載媒体の識別を行うことを特徴とする請求項２１記載のＩＣチップ搭載媒体の発行システム。
【請求項２３】
前記ＩＣチップ搭載媒体の前記ＩＣチップの内蔵メモリへのデータ発行と印字領域への印字を同一ステージで行うことを特徴とする請求項４記載のＩＣチップ搭載媒体の発行システム。
【請求項２４】
前記制御手段は、前記第１の発行処理手段及び／又は第２の発行処理手段の前後で前記固有識別番号を用い、前記ＩＣチップ搭載媒体の入れ替わりの有無を確認することを特徴とする請求項３記載のＩＣチップ搭載媒体の発行システム。
【請求項２５】
前記制御手段は、システムの最初又は最後に前記固有識別番号を用い、前記ＩＣチップ搭載媒体の入れ替わりの有無を確認することを特徴とする請求項３記載のＩＣチップ搭載媒体の発行システム。
【請求項２６】
少なくとも１以上のＩＣチップを搭載しているＩＣチップ搭載媒体の発行方法であって、
前記ＩＣチップの内蔵メモリの所定領域に予め記録された固有識別番号を読み出し、読み出した固有識別番号に基づいて、当該ＩＣチップ搭載媒体に第１の発行処理が既に行われたか否かを判定し、第１の発行処理が行われていない場合に、前記ＩＣチップの内蔵メモリのデータ書込み領域に発行処理を施す第１の発行処理ステップと、
前記第１の発行処理ステップを制御する制御ステップと
を備えることを特徴とするＩＣチップ搭載媒体の発行方法。
【請求項２７】
前記ＩＣチップ搭載媒体に発行処理が既に施されており、かつそのＩＣチップ搭載媒体が不良品であることを前記制御ステップの制御に基づいて前記第１の発行処理ステップが判明した場合に、当該不良品であるＩＣチップ搭載媒体を排出する第１の不良品排出ステップをさらに備えることを特徴とする請求項２６記載のＩＣチップ搭載媒体の発行方法。
【請求項２８】
前記ＩＣチップの内蔵メモリの前記所定領域に予め記録された固有識別番号を読み出し、読み出した固有識別番号に基づいて、前記第１の発行処理ステップで行われる発行処理とは異なる第２の発行処理を前記固有識別番号を用いてＩＣチップ搭載媒体の磁気ストライプに対して施す第２の発行処理ステップをさらに備え、前記制御ステップは前記第１の発行処理ステップと共に前記第２の発行処理ステップを制御することを特徴とする請求項２６記載のＩＣチップ搭載媒体の発行方法。
【請求項２９】
前記ＩＣチップ搭載媒体に発行処理が既に施されており、かつそのＩＣチップ搭載媒体が不良品であることを前記制御ステップの制御に基づいて前記第２の発行処理ステップが判明した場合に、当該不良品であるＩＣチップ搭載媒体を排出する第２の不良品排出ステップをさらに備えることを特徴とする請求項２７記載のＩＣチップ搭載媒体の発行方法。
【発明の詳細な説明】
【技術分野】
【０００１】
本発明は、１以上のＩＣチップを有し、かつ２以上のデータ記録媒体を有する、ＩＣカード、ＩＣタグのようなＩＣチップ搭載媒体の発行システム及び発行方法に関する。
【背景技術】
【０００２】
ＩＣチップを有するＩＣカード及びＩＣタグは、近年、低価格化・高機能化が進展し、活用領域や目的に応じ多くの種類が開発されている。
【０００３】
また、今後は、ＬＡＮやインターネット等のネットワークとの連携により幅広い分野での利活用が期待されている。
【０００４】
ＩＣカード及びＩＣタグには、ＩＣチップの端子がカード及びタグ表面に露出し、この端子とリーダライタの端子を電気的に接続させることでデータの伝送をする接触式ＩＣカード及びＩＣタグと、カード及びタグの内部にＩＣチップとアンテナが埋め込まれ、リーダライタから発信する電磁界を伝送媒体として非接触式でデータを伝送する非接触式ＩＣカード及びＩＣタグがある。
【０００５】
非接触式ＩＣカード及びＩＣタグは、接触式ＩＣカード及びＩＣタグと違ってリーダライタとの接点が不要で損傷や磨耗に強く、振動や汚れ・遮蔽物にかかわらず読取れること、また利用者の立場からみた場合、リーダライタにかざす又は通り過ぎるだけで処理が可能なため利便性が高いといえる（例えば、特許文献１参照）。
【０００６】
非接触式ＩＣカード及びＩＣタグには、表面に磁気ストライプや可視情報を印字する領域を有するものがある。このようなカード及びタグ表面に磁気ストライプが形成された部分と可視情報を印字する部分とを有する非接触式ＩＣカード及びＩＣタグを発行する場合、磁気ストライプに書き込まれる情報、ＩＣチップ内に書き込まれる情報及び表面に印字される可視情報の間にデータの整合性が要求される。
【０００７】
下記特許文献１は、ＩＣカード内部のＩＣチップに対して非接触方式でデータ伝送することが可能な非接触式ＩＣカードに正しい発行処理を効率的に行う非接触式ＩＣカードの発行処理システムに関する。
【０００８】
下記特許文献１にあっては、ＩＣカード表面の磁気ストライプ上にそれぞれ固有のキーデータが書き込まれた非接触式ＩＣカードの当該キーデータを、搬送路上のキーデータ読取部において読み取り、このキーデータに対応した発行データをＩＣチップに書き込む処理を行う。この発行処理システムで非接触式ＩＣカードを発行する場合、ＩＣカード表面の磁気ストライプ上にそれぞれ固有のキーデータを事前に書き込む必要がある。
【０００９】
上記従来の方法は、事前にＩＣカード表面の磁気ストライプ上にそれぞれ固有のキーデータを書き込む必要がある。この磁気ストライプに書き込まれるデータは容易に書き換え可能であり、固有のキーデータとして取り扱うには不適切である。
【００１０】
また、装置内のキーデータ読取部、データ書き込み部、印字部、検査部はそれぞれ独立していて、それぞれの処理を行うためにはＩＣカードのキーデータをキーデータ読取部で読取ってからデータ書き込み部、印字部、検査部までＩＣカードを搬送する必要がある。
【００１１】
このため、データ書き込み部、印字部、検査部では間違ったＩＣカードが搬送されたとしても、正しいカードが搬送されたものとしてＩＣカードにそれぞれの処理をすることになる。
【特許文献１】特開２００２−００７９７０号公報
【発明の開示】
【発明が解決しようとする課題】
【００１２】
本発明は、１以上のＩＣチップを有し、かつ２以上のデータ記録媒体を有するＩＣカード及びＩＣタグのそれぞれの記録媒体に、適切なデータを発行するＩＣカード及びＩＣタグ発行システムを提供することを目的とするものである。
【課題を解決するための手段】
【００１３】
本発明者らは、鋭意検討の結果、チップＩＤを用いて例えばＩＣカードやＩＣタグのようなＩＣチップ搭載媒体の識別を行うＩＣチップ搭載媒体の発行システムによって、上記問題点が解決できることを見出し、本発明を解決するに至った。ここで、チップＩＤとは、内蔵メモリに予め記録された書き換え不可能な固有識別番号をいう。
【００１４】
本発明に係るＩＣチップ搭載媒体は、前記課題を解決するために、少なくとも１以上のＩＣチップを搭載しているＩＣチップ搭載媒体の発行システムであって、前記ＩＣチップの内蔵メモリの所定領域に予め記録された固有識別番号を読み出し、読み出した固有識別番号に基づいて、当該ＩＣチップ搭載媒体に第１の発行処理が既に行われたか否かを判定し、第１の発行処理が行われていない場合に、前記ＩＣチップの内蔵メモリのデータ書込み領域に発行処理を施す第１の発行処理手段と、前記第１の発行処理手段を制御する制御手段とを備える。
【００１５】
また、前記ＩＣチップ搭載媒体に発行処理が既に施されており、かつそのＩＣチップ搭載媒体が不良品であることを前記制御手段の制御に基づいて前記第１の発行処理手段が判明した場合に、当該不良品であるＩＣチップ搭載媒体を排出する第１の不良品排出部をさらに備えることが好ましい。
【００１６】
また、前記ＩＣチップの内蔵メモリの前記所定領域に予め記録された固有識別番号を読み出し、読み出した固有識別番号に基づいて、前記第１の発行処理手段で行われる発行処理とは異なる第２の発行処理を前記固有識別番号を用いてＩＣチップ搭載媒体の磁気ストライプに対して施す第２の発行処理手段をさらに備え、前記制御手段は前記第１の発行処理手段と共に前記第２の発行処理手段を制御することが好ましい。
【００１７】
また、前記ＩＣチップ搭載媒体に発行処理が既に施されており、かつそのＩＣチップ搭載媒体が不良品であることを前記制御手段の制御に基づいて前記第２の発行処理手段が判明した場合に、当該不良品であるＩＣチップ搭載媒体を排出する第２の不良品排出部をさらに備えることが好ましい。
【００１８】
本発明に係るＩＣチップ搭載媒体の発行システムは、前記課題を解決するために、少なくとも１以上のＩＣチップを搭載しているＩＣチップ搭載媒体の発行方法であって、前記ＩＣチップの内蔵メモリの所定領域に予め記録された固有識別番号を読み出し、読み出した固有識別番号に基づいて、当該ＩＣチップ搭載媒体に第１の発行処理が既に行われたか否かを判定し、第１の発行処理が行われていない場合に、前記ＩＣチップの内蔵メモリのデータ書込み領域に発行処理を施す第１の発行処理ステップと、前記第１の発行処理ステップを制御する制御ステップとを備える。
【００１９】
また、前記ＩＣチップ搭載媒体に発行処理が既に施されており、かつそのＩＣチップ搭載媒体が不良品であることを前記制御ステップの制御に基づいて前記第１の発行処理ステップが判明した場合に、当該不良品であるＩＣチップ搭載媒体を排出する第１の不良品排出ステップをさらに備えることが好ましい。
【００２０】
また、前記ＩＣチップの内蔵メモリの前記所定領域に予め記録された固有識別番号を読み出し、読み出した固有識別番号に基づいて、前記第１の発行処理ステップで行われる発行処理とは異なる第２の発行処理を前記固有識別番号を用いてＩＣチップ搭載媒体の磁気ストライプに対して施す第２の発行処理ステップをさらに備え、前記制御ステップは前記第１の発行処理ステップと共に前記第２の発行処理ステップを制御することが好ましい。
【００２１】
また、前記ＩＣチップ搭載媒体に発行処理が既に施されており、かつそのＩＣチップ搭載媒体が不良品であることを前記制御ステップの制御に基づいて前記第２の発行処理ステップが判明した場合に、当該不良品であるＩＣチップ搭載媒体を排出する第２の不良品排出ステップをさらに備えることが好ましい。
【００２２】
特に、本発明は、少なくとも１以上の発行ステージを含み、全ての発行ステージにおいて、チップＩＤを用いてＩＣチップ搭載媒体の識別を行う。
【００２３】
また、本発明は、少なくとも１以上の発行ステージを含み、全ての発行ステージにおいて、非接触方式でチップＩＤを読み取り、前記チップＩＤを用いて非接触式のＩＣチップ搭載媒体の識別を行うＩＣチップ搭載媒体の発行システムである。
【００２４】
また、本発明は、例えばＩＣカード及びＩＣタグのようなＩＣチップ搭載媒体の内蔵メモリに書き込んだデータ及びチップＩＤをログファイルとして管理する制御部を有するＩＣチップ搭載媒体の発行システムである。
【００２５】
また、本発明は、チップＩＤを用いてＩＣチップ搭載媒体の識別を行った後、前記制御部のログファイルを確認し、データ未発行の場合は発行処理を行い、データ発行済の場合は次のステージへ移行することを特徴とするＩＣチップ搭載媒体の発行システムである。
【００２６】
また、本発明は、ＩＣチップ搭載媒体が、印字領域を有し、内蔵メモリへのデータ発行後に、前記印字領域へ印字を行うとともに印字内容を前記ログファイルに記録することを特徴とするＩＣチップ搭載媒体の発行システムである。
【００２７】
また、本発明は、内蔵メモリへのデータ発行と印字領域への印字を同一ステージで行うことを特徴とするＩＣチップ搭載媒体の発行システムである。
【００２８】
また、本発明は、ＩＣチップ搭載媒体が、磁気ストライプを有し、内蔵メモリへのデータ発行後に、再度チップＩＤを用いてＩＣカード及びタグ識別を行い、その後、前記制御部のログファイルを確認して、磁気ストライプへのデータ発行が未発行の場合はデータ発行を行い、発行済の場合は次のステージへ移行するＩＣチップ搭載媒体の発行システムである。
【発明の効果】
【００２９】
本発明によれば、ＩＣカード及びＩＣタグのようなＩＣチップ搭載媒体のチップＩＤをキーデータとすることで、キーデータが複数個数存在することを防ぐことができ、従来よりも信頼性の高い発行処理が行える。なお、チップＩＤを用いたＩＣチップ搭載媒体の発行システム及び方法での識別を各発行ステージで実施することで、万が一装置内の各ステージに正しい順番でＩＣカード及びタグが搬送されなかったとしても、各ＩＣチップ搭載媒体の正しい発行処理ができる。
【００３０】
また、チップＩＤを用いたＩＣチップ搭載媒体の識別を行った後、制御部のログファイルを確認し、識別したＩＣチップ搭載媒体が発行済か未発行かの判定をするので、装置内に誤って同じＩＣチップ搭載媒体を複数回数投入しても、同一のＩＣチップ搭載媒体に複数回数発行することを防ぐことができる。
【００３１】
上記のように、本発明のＩＣチップ搭載媒体の発行システム及び発行方法により、１以上のＩＣチップを有し、かつ２以上のデータ記録媒体を有するＩＣチップ搭載媒体に適切なデータをそれぞれの記録媒体に発行することが可能となる。
【発明を実施するための最良の形態】
【００３２】
本発明のＩＣチップ搭載媒体の発行システム及び発行方法の最良の実施形態について図１〜図４を参照して説明する。ＩＣチップ搭載媒体としては、１以上のＩＣチップを有し、かつ２以上のデータ記録媒体を有する非接触式ＩＣカードを具体例に挙げる。よって以下では、非接触式ＩＣカードを発行するＩＣカード発行システムについて説明する。
【００３３】
図１は、ＩＣカード発行システムの基本構成図である。また、図２には本システムにて発行する非接触式ＩＣカードの表裏面を示す。非接触式ＩＣカードの構成については詳細を後述する。
【００３４】
ＩＣカード発行システムは、非接触式ＩＣカードを発行する処理を行うため図１に示すように、ＩＣカードを１枚づつ取り出して供給する供給ステージ１０１と、供給ステージ１０１から供給されたＩＣカードに指定されたデータを書き込み、さらに前記データに関連した情報を印字するＩＣ発行レーザ刻印ステージ１０３と、ＩＣ発行レーザ刻印ステージ１０３から搬送されたＩＣカードの磁気ストライプにデータを書き込む磁気発行ステージ１１０とを備える。
【００３５】
また、ＩＣカード発行システムは、ＩＣ発行レーザ刻印ステージ１０３及び磁気発行ステージ１１０に接続されて、それぞれのステージ１０３及び１０４に発行データを供給し、またＩＣ発行レーザ刻印ステージ１０３に印字データを供給する制御部１０６を備える。
【００３６】
また、ＩＣカード発行システムは、ＩＣ発行レーザ刻印ステージ１０３にてＩＣ発行及び印字の結果、不良品と判断されたＩＣカードが排出されるＩＣ発行不良品排出部１０８と、磁気発行ステージ１１０にて磁気発行の結果、不良品と判断されたＩＣカードが排出される磁気発行不良品排出部１１３と、磁気発行ステージ１１０から搬送された良品カードのみを収納する良品回収ステージ１１５とを備える。
【００３７】
図２に示すように、非接触式ＩＣカード２０１の表面には磁気ストライプ２０４、裏面には印字領域２０５が設置されてある。また非接触式ＩＣカード２０１の内部には、ＩＣチップ２０６が埋め込まれている。
【００３８】
このＩＣチップ２０６の内蔵メモリ２０２は、チップＩＤ格納領域２０７とデータ書き込み領域２０３で構成されている。チップＩＤ格納領域２０７に格納されているチップＩＤは、ＩＣチップ２０６の製造段階に予め記録された固有識別番号であり、一度記録されたチップＩＤは書き換え不可能となる。内蔵メモリ２０２のデータ書込み領域２０３はリーダライタを用いて自由に書込むことが可能な領域である。
【００３９】
図１にあって、供給ステージ１０１は供給マガジン１０２を有し、この供給マガジン１０２に複数枚セットされたＩＣカードを１枚ずつ取り出して後段のＩＣ発行レーザ刻印ステージ１０３に搬送する。このとき、供給マガジン１０２に複数枚セットされる各ＩＣカードは、内蔵メモリ２０２のデータ書き込み領域２０３と磁気ストライプ２０４にデータがそれぞれ書き込まれていない状態、また印字領域２０５に印字されていない状態である。
【００４０】
ＩＣ発行レーザ刻印ステージ１０３は、レーザマーカ１０４とＩＣリーダライタ１０５（図１ではＩＣ  Ｒ／Ｗと示す）で構成される。ＩＣリーダライタ１０５は、供給ステージ１０３から搬送供給されたＩＣカード２０１に、制御部１０６の後述する発行ソフト１０７から指定されたデータを書き込む。具体的に、ＩＣリーダライタ１０５は、前記ＩＣカード２０１に搭載されたＩＣチップ２０６内の内蔵メモリ２０２のデータ書込み領域２０３に前記指定データを書き込む。また、レーザマーカ１０４は、前記ＩＣカード２０１の裏面の印字領域２０５に、前記指定データに基づいた情報をレーザを用いて印字・刻印する。
【００４１】
前記発行ソフト１０７から指定されたデータは、ＩＣカードの種類に応じて異なる。例えば、カード発行者の名称、或いは識別コード、カード利用者の氏名、住所、電話番号、会員番号などの個人情報である。また、カードの種別を表すコードや、特典、優待の有無、有効期限に関するデータであってもよい。
【００４２】
このＩＣ発行レーザ刻印ステージ１０３にてＩＣリーダライタ１０５及びレーザマーカ１０４を用いた前記指定データの前記ＩＣカード２０１への書込み及び刻印が出来ないとき、ＩＣ発行レーザ刻印ステージ１０３では対象となった前記ＩＣカード２０１を不良品と判断し、ＩＣ発行不良品排出部１０８の不良品箱１０９に排出する。また、ＩＣ発行レーザ刻印ステージ１０３にてＩＣリーダライタ１０５及びレーザマーカ１０４を用いた前記指定データの前記ＩＣカード２０１への書込み及び刻印が正常に行われたとき、ＩＣ発行レーザ刻印ステージ１０３では対象となった前記ＩＣカード２０１を良品と判断し、良品と判断したＩＣカード２０１を磁気発行ステージ１１０に搬送する。
【００４３】
発行するカード品種により、ＩＣ発行とレーザ刻印の必要がない場合は、ＩＣ発行レーザ刻印ステージ１０３では発行・印字処理を行わずに供給ステージ１０１から搬送されてきたＩＣカードを次の磁気発行ステージ１１０に搬送することもできる。
【００４４】
磁気発行ステージ１１０は、磁気リーダライタ１１１（図１では磁気Ｒ／Ｗと示す）とＩＣリーダライタ１１２（図１ではＩＣ  Ｒ／Ｗと示す）で構成される。磁気リーダライタ１１１は、ＩＣ発行レーザ刻印ステージ１０３から搬送供給されたＩＣカード２０１（ＩＣ発行レーザ刻印ステージ１０３にて良品と判断されたＩＣカード又はＩＣ発行とレーザ刻印の必要がなかったＩＣカード）に、制御部１０６の発行ソフト１０７から指定されたデータを書き込む。具体的に、磁気リーダライタ１１１は、前記ＩＣカード２０１の表面に設けられた磁気ストライプ２０４に前記発行ソフト１０７から指定されたデータを書き込む。
【００４５】
この磁気発行ステージ１１０にて磁気リーダライタ１１１を用いた前記指定データの前記ＩＣカード２０１の磁気ストライプ２０４への書込みが出来ないとき、磁気発行ステージ１１０では対象となった前記ＩＣカード２０１を不良品と判断し、磁気発行不良品排出部１１３の不良品箱１１４に排出する。また、磁気発行ステージ１１０にて磁気リーダライタ１１１を用いた前記指定データの前記磁気ストライプ２０４への書込みが正常に行われたとき、磁気発行ステージ１１０では対象となった前記ＩＣカード２０１を良品と判断し、この良品と判断したＩＣカード２０１を良品回収ステージ１１５の良品マガジン１１６に搬送する。
【００４６】
発行するカード品種により、磁気発行の必要がない場合は、磁気発行ステージ１１０では発行処理を行わずにＩＣ発行レーザ刻印ステージ１０３から搬送されたＩＣカードを次ステージ、つまり良品回収ステージ１１５に搬送することもできる。
【００４７】
良品回収ステージ１１５では、磁気発行ステージ１１０から搬送された良品カードのみを良品マガジン１１６に収納するか、あるいは磁気発行の必要がない場合は、ＩＣ発行レーザ刻印ステージ１０３から搬送されたＩＣカードを良品マガジン１１６に収納する。
【００４８】
制御部１０６は、前述したようにＩＣ発行レーザ刻印ステージ１０３及び磁気発行ステージ１１０に接続されており、両ステージに発行データを指定する。制御部１０６は、図１に示すように、前記発行データや印字データを前記各ステージに指定する発行ソフト１０７と、前記ＩＣカード２０１が各発行ステージにて処理される毎に、必要データを記録するＩＣログファイル１１７、ＵＩＤファイル１１８及び磁気発行ログファイル１１９を備える。
【００４９】
特に、このＩＣカード発行システムでは、ＩＣ発行レーザ刻印ステージ１０３及び磁気発行ステージ１１０でのカード発行処理毎に、ＩＣログファイル１１７及び磁気ログファイル１１９に発行処理結果を記録する。ＩＣログファイル１１７及び磁気ログファイル１１９については、詳細を後述する。
【００５０】
制御部１０６は、必ずしも１つである必要はなく、ＩＣ発行レーザ刻印用と磁気発行用とに切り分けても良い。ただし、ＩＣ発行レーザ刻印用と磁気発行用とに切り分けた場合、ＩＣ発行レーザ刻印用発行ソフトではＩＣログファイル１１７とＵＩＤファイル１１８が作製され、磁気発行用発行ソフトでは、磁気ログファイル１１９が作製される。
【００５１】
磁気発行用発行ソフトではＩＣ発行レーザ刻印用発行ソフトで作製したＵＩＤファイル１１８を利用するため、ＩＣ発行レーザ刻印制御部と磁気発行制御部がネットワークで接続されていることが望ましい。
【００５２】
次に、表１を参照してＩＣログファイル１１７及び磁気ログファイル１１９について説明する。ＩＣカード発行システムでは、制御部１０６の発行ソフト１０７を用いて、ＩＣログファイル１１７及び磁気ログファイル１１９を作製し、ＩＣ発行レーザ刻印ステージ１０３及び磁気発行ステージ１１０でのカード発行処理毎に、ＩＣログファイル１１７及び磁気ログファイル１１９に発行処理結果を記録する。ＩＣログファイル１１７及び磁気ログファイル１１９に記録する項目は、表１に示すように、発行処理番号（Ｎｏ．）、日時、チップＩＤ、データ（１）、データ（２）（連番）、発行処理結果、作業者番号である。
【表１】
2008262527.tif 000003
【００５３】
本実施の形態のＩＣカード発行システムでは、表２の形式のＵＩＤファイル１１８を制御部１０６の発行ソフト１０７で作製する。ＵＩＤファイル１１８に記録する項目は、表２に示すようにＩＣ発行レーザ刻印ステージ１０３で良品とされたＩＣカードのチップＩＤである。つまり、ＵＩＤファイル１１８は、ＩＣ発行レーザ刻印ステージ１０３でのカード発行処理におけるＩＣカードが良品であった毎に、該当ＩＣカードのチップＩＤを記録する。このＵＩＤファイル１１８に記録されたチップＩＤは、ＩＣ発行レーザ刻印ステージ１０３から磁気発行ステージ１１０に搬送されてきたＩＣカードがＩＣ発行レーザ刻印ステージ１０３で良品となったＩＣカードか否かを確認するために利用される。
【表２】
2008262527.tif 000004
【００５４】
また、発行するカード品種により、ＩＣカード２０１の磁気ストライプ２０４に書き込むデータがＩＣチップ２０６の内蔵メモリ２０２に書き込むデータと異なる場合は、ＵＩＤファイル１１８に磁気書き込みデータを書き込むべきチップＩＤと同じ行に記録し、磁気発行ステージ１１０で識別したチップＩＤに対し同じ行に記録されてある磁気書込みデータを磁気ストライプに書き込ませることもできる。
【００５５】
図３は本実施の形態のＩＣカード発行システムにおける処理手順を示すフローチャートである。発行作業の準備として、供給ステージ１０１の供給マガジン１０２に非接触式ＩＣカード２０１をセットする。各ＩＣカード２０１はＩＣチップ２０６を搭載しており、このＩＣチップ２０６の内蔵メモリ２０２のデータ書き込み領域２０３と磁気ストライプ２０４にはデータが書き込まれていない。また、ＩＣカード２０１の裏面の印字領域２０５にもデータに基づく情報は印字されていない。ただし、内蔵メモリ２０２のチップＩＤ格納領域２０７には予め製造段階などにおいてチップの識別番号であるチップＩＤが記録されている。チップＩＤは、一度チップＩＤ格納領域２０７に記録された後は書き換え不可能となっている。
【００５６】
また、制御部１０６は発行ソフト１０７の初期設定として、データ（１）、データ（２）スタート番号、作業者番号を入力する。
【００５７】
先ず、供給ステージ１０１からＩＣカードがＩＣ発行レーザ刻印ステージ１０３に搬送されると、搬送されたＩＣカード２０１のＩＣチップ２０６内蔵メモリ２０２のチップＩＤ格納領域２０７からチップＩＤをＩＣ発行レーザ刻印ステージ１０３のＩＣリーダライタ１０５で読み取る（Ｓ１）。制御部１０６は、ＩＣ発行レーザ刻印ステージ１０３のＩＣリーダライタ１０５で読み取ったチップＩＤをＩＣログファイル１１７内で検索する（Ｓ２）。このステップＳ２のＩＣログファイル検索は、搬送されてきたＩＣカードがＩＣ未発行であるか又は発行済みであるかをＩＣログファイル１１７内の表１に挙げたデータを参照して確認する処理である。
【００５８】
ステップＳ２によるＩＣログファイル検索を受け、ステップＳ３にて当該ＩＣカードがＩＣ未発行であるか否かを判定する。ステップＳ２にあって当該ＩＣカードのチップＩＤがＩＣログファイル１１７に記録されていなかった場合、ステップＳ３では当該ＩＣカードは未発行であると判定し、ステップＳ４に進む。
【００５９】
ステップＳ４では、ＩＣ発行レーザ刻印ステージ１０３のＩＣリーダライタ１０５にて制御部１０６の発行ソフト１０７から指定されたデータをＩＣカード２０１に搭載されたＩＣチップ２０６内の内蔵メモリ２０２のデータ書込み領域２０３に書き込む。これにより、ＩＣ発行処理が行われることになる。ここで、データ書込み領域２０３に書き込まれるデータは、前述したように、ＩＣカードの種類に応じて異なり、例えば、カード発行者の名称、或いは識別コード、カード利用者の氏名、住所、電話番号、会員番号などの個人情報である。また、カードの種別を表すコードや、特典、優待の有無、有効期限に関するデータであってもよい。
【００６０】
ステップＳ５では、ＩＣ発行レーザ刻印ステージ１０３のレーザマーカ１０４にて、前記ＩＣカード２０１の裏面の印字領域２０５に、前記指定データに基づいた情報をレーザを用いて印字・刻印する。
【００６１】
ステップＳ６では、制御部１０６にて、ＩＣ発行レーザ刻印ステージ１０３でのカード発行処理毎に、ＩＣログファイル１１７及び磁気ログファイル１１９に発行処理結果に応じた必要データを記録する。
【００６２】
ステップＳ１のチップＩＤ読み取り処理にて、ＩＣ発行レーザ刻印ステージ１０３のＩＣリーダライタ１０５がＩＣカード２０１のＩＣチップ２０６の内蔵メモリ２０２から読み取ったチップＩＤがＩＣログファイル１１７内に記録されてある場合についてステップＳ３ではＩＣ未発行品ではない（ＮＯ）と判定する。つまり、搬送されたＩＣカードはＩＣ発行済カードであるため、搬送されたＩＣカードにはＩＣ発行とレーザ刻印は実施しない。
【００６３】
また、ＩＣ発行済カードの場合、ステップＳ１７にて前回処理結果を判定するため、ＩＣログファイル１１７内の該当チップＩＤと同じ行に記録されてある処理結果を参照する。そして、ステップＳ１８にて前回発行したＩＤカードが良品であることがＩＣログファイル１１７に記録されてあればＹＥＳに分岐し、磁気発行ステージ１１０に搬送する。もし、ステップＳ１８にて前回発行したＩＣカードが不良品であることがＩＣログファイル１１７に記録されてあればＩＣ発行不良品排出部１０８の不良品箱１０９へＩＣカードを排出する（Ｓ１９）。このように、ＩＣ発行レーザ刻印ステージ１０３で良品と判定されたＩＣカードは、図３におけるステップＳ７から始まる磁気発行ステージ１１０へ搬送される。
【００６４】
ＩＣカードがＩＣ発行レーザ刻印ステージ１０３から磁気発行ステージ１１０に搬送されると、磁気発行ステージ１１０では搬送されたＩＣカード２０１のＩＣチップ２０６の内蔵メモリ２０２から前記チップＩＤをＩＣリーダライタ１１２で読み取る（Ｓ７）。制御部１０６は、磁気発行ステージ１１０のＩＣリーダライタ１１２で読み取ったチップＩＤを磁気ログファイル１１９内で検索する（Ｓ８）。このステップＳ８の磁気ログファイル検索は、搬送されてきたＩＣカードが磁気未発行であるか又は発行済みであるかを磁気ログファイル１１９内の表１に挙げたデータを参照して確認する処理である。
【００６５】
ステップＳ８による磁気ログファイル検索を受け、ステップＳ９にて当該ＩＣカードが磁気未発行であるか否かを判定する。ステップＳ９にあって当該ＩＣカードのチップＩＤが磁気ログファイル１１９に記録されていなかった場合、ステップＳ９では当該ＩＣカードは磁気未発行であると判定し、ステップＳ１０に進む。
【００６６】
ステップＳ１０では、ＩＣリーダライタ１１２でＩＣカード２０１のＩＣチップ２０６の内蔵メモリ２０２から読み取ったチップＩＤをＵＩＤファイル１１８内でも検索する。そして、制御部１０６は、ステップＳ１１にて前記読み取ったチップＩＤがＵＩＤファイル１１８内に記録されているか否かを判定する。ステップＳ１１にて前記読み取ったチップＩＤがＵＩＤファイル１１８内に記録されていなければ（ＮＯ）、この搬送されたＩＣカードはＩＣ発行されていないＩＣカードであり磁気発行するべきＩＣカードではないので磁気発行せずにカードを磁気発行不良品排出部１１３の不良品箱１１４へ排出する（Ｓ２２）。
【００６７】
ステップＳ１１にて前記読み取ったチップＩＤがＵＩＤファイル１１８内に記録されてあれば（ＹＥＳ）、この搬送されたＩＣカードはＩＣ発行レーザ刻印ステージ１０３で良品となったＩＣカードであるため、ステップＳ１２に進み、磁気リーダライタ１１１で磁気ストライプ２０４に発行データを書き込む。
【００６８】
また、前記読み取ったチップＩＤがステップＳ８及びステップＳ９を通して磁気ログファイル１１９内に記録されてあると判定された場合は、この搬送されたＩＣカードは磁気発行済カードであるため、この搬送されたＩＣカードには磁気発行を実施しない。
【００６９】
さらに、磁気発行済カードの場合、ステップＳ２０にて前回処理結果を判定するため、磁気ログファイル１１９内の該当チップＩＤと同じ行に記録されてある処理結果を参照する。そして、ステップＳ２１にて前回発行したＩＣカードが良品であることが磁気ログファイル１１９に記録されてあればＹＥＳに分岐し、当該ＩＣカードを良品回収ステージ１１５に搬送する。もし、ステップＳ２１にて前回発行したＩＣカードが不良品であることが磁気ログファイル１１９に記録されてあれば、ステップＳ２２にて磁気発行不良品排出部１１３の不良品箱１１４へＩＣカードを排出する。
【００７０】
ステップＳ１２にて磁気発行を実施した場合は、磁気発行完了後、再度ＩＣリーダライ１１２で発行したＩＣカードのチップＩＤを読み取る（Ｓ１３）。ステップＳ１４では、ステップＳ１３にて読み取ったチップＩＤと磁気発行を実施する前に読み取ったチップＩＤとを比較することで発行する前と発行した後のＩＣカードが入れかわってないかどうかを確認する。図３のステップＳ１４ではこの確認処理をワーク入れかわり検査処理と記述している。
【００７１】
ステップＳ１４のワーク入れかわり検査処理を受けてステップＳ１５にて発行前のチップＩＤと同一のチップＩＤであるか否かを判定する。もし、このステップＳ１５にて発行前に読み取ったチップＩＤと発行後に読み取ったチップＩＤが同一でない（ＮＯ）と判定すると、このＩＣカードを磁気発行不良品排出部１１３の不良品箱１１４へ排出（Ｓ２３）する。一方、ステップＳ１５にて発行前に読み取ったチップＩＤと発行後に読み取ったチップＩＤが同一であると判定すれば、ステップＳ１６に進み、磁気ログファイル１１９に必要事項を記録してＩＣカードを良品回収ステージ１１５へ搬送する。
【００７２】
磁気発行ステージ１１０で磁気リードライタ１１１を用いて磁気ストライプ２０４に書き込むデータは、カード品種により変更できる。磁気ストライプ２０４に書き込むデータがＩＣチップ２０６に書き込むデータと同一の場合は、磁気発行前にＩＣチップ２０６に書き込まれたデータをチップＩＤと同時に読み出し、読み出したデータと同一のデータを磁気ストライプ２０４に書き込むことができる。
【００７３】
また、磁気ストライプ２０４に書き込むデータがＩＣチップ２０６に書き込むデータと異なる場合は、前述のＵＩＤファイル１１８に書き込むべきチップＩＤと同じ行に磁気ストライプ２０４に書き込むデータを記録しておけば、ＵＩＤファイル１１８参照時に該当チップＩＤに書き込むデータを該当チップＩＤと同じ行から抽出し、抽出したデータを磁気ストライプ２０４に書き込むことができる。
【００７４】
本実施の形態のＩＣカード発行システムでの対象製品は、図２のような非接触式ＩＣカード２０１だけに制限しない。例えば、非接触式ＩＣカード２０１には、磁気ストライプ２０４が無くても良く、印字領域２０５が磁気ストライプ２０４と同一の面に設置されていても良い。
【００７５】
また、ＩＣカードは接触式でも非接触式でも良く、形状もカードだけでなくタグの形状でも良い。ＩＣタグは、物のライフサイクル全体を管理するシステムに用いられ、製造、物流、販売、リサイクルのすべての業態で注目されている。例えば、１３．５６ＭＨｚ帯を利用した電磁誘導方式のＩＣタグを利用した実証実験は、アパレル、家電、航空、出版、農業等の各業界で進められており、アパレルなどの一部の業界ではすでに実用化が図られている。
【００７６】
また、近年では数メートルの通信距離が可能であるという特徴によってＵＨＦ波やマイクロ波を用いる電波方式のＩＣタグが注目されており、現在、大量の商品の物流管理や製造物履歴管理、セキュリティ管理等を目的にシステムの構築が進められている。
【００７７】
ＩＣタグは、ＩＣチップを搭載し、このＩＣチップに例えばアルミアンテナを接続したインレットを、紙、ポリエチレンテレフタレート、塩化ビニル樹脂シート等でラミネートしたタグや、樹脂成型品などがある。また、ＩＣタグをラベル状に形成したＩＣラベルも広く使用される。
【００７８】
本発明を、接触式のＩＣカード及びＩＣタグを適用する場合は、接触式のＩＣリーダライタを設置する必要があり、カード形状以外の形状の製品を適用する場合は、本システムの各ステージ形状を変更することで対応可能である。
【００７９】
このように、ＩＣカード及びＩＣタグは、接触式と非接触式に大別される。接触式のＩＣカード及びＩＣタグはリーダライタの端子とＩＣカード及びＩＣタグ表面に露出した端子とを接触させてデータを伝送させるため、通信速度が速く、かつ情報量が多い。
【００８０】
また、端子と端子とを接触させることによりデータ伝送のセキュリティ性も高くなるため、主に金融分野で利用されている。
【００８１】
これに対し、非接触式のＩＣカード及びＩＣタグは、リーダライタから発信する電磁界を伝送媒体として非接触式でデータを伝送する。このため、リーダライタにかざす、通り過ぎるだけで通信が可能となるため交通や物流分野で主に利用されている。
【００８２】
ＩＣカード及びＩＣタグには様々な形状がある。例えば、カード型・タグ型・ラベル型・コイン型などが挙げられ、人が持ち運ぶような場合にはカード型、物品管理などで吊り下げる場合はタグ型、貼り付けて使用したい場合はラベル型やコイン型などそれぞれの使用目的に合わせた形状をとることができる。
【００８３】
このようにＩＣカード及びＩＣタグには通信方式と形状が多種存在するが、これらのＩＣカード及びＩＣタグは全てチップＩＤが記録されたＩＣチップを有しているため、本発明のＩＣチップ搭載媒体の発行システム及び発行方法を利用できる。
【００８４】
ＩＣカード及びＩＣタグに２以上の記録媒体を有する場合、本発明のＩＣチップ搭載媒体発行システムでは、各発行ステージでチップＩＤを利用してＩＣカード及びＩＣタグの識別をするので、各記録媒体へ記録するべきデータを発行することができる。
【００８５】
また、ＩＣチップを１以上有するＩＣカード及びＩＣタグでは、１つのチップＩＤをＩＣカード及びＩＣタグの識別番号として各発行ステージで利用することで、各ＩＣチップへ記録するべきデータを発行することができる。
【実施例】
【００８６】
以下、本発明の実施例を説明する。
【００８７】
前述のＩＣカード発行システムとして、図４のような発行システムを設計した。この発行システムでは、図２に表裏及び構成を示したような、磁気ストライプと印字領域を有する非接触式ＩＣカードを製品対象とした。よって、以下でもＩＣカードの符号は２０１とし、関連する符号も図２に示したものとする。
【００８８】
供給ステージ６０１の供給マガジン６０２に非接触式ＩＣカード２０１を複数枚セットする。各ＩＣカード２０１は、ＩＣチップ２０６を搭載しており、ＩＣチップ２０６内の内蔵メモリ２０２のデータ書き込み領域２０３と、磁気ストライプ２０４にデータが書き込まれていない、また印字領域２０５に印字されていない状態の非接触式ＩＣカードである。
【００８９】
さらに、ＩＣ発行レーザ刻印制御部６０３の発行ソフト６０４及び磁気発行制御部６０５の発行ソフト６０６の初期設定として、データ（１）、データ（２）のスタート番号、作業者番号を入力する。この実施例では、前記図１に示した制御部１０６をＩＣ発行レーザ刻印用と磁気発行用とに切り分けている。
【００９０】
したがって、ＩＣ発行レーザ刻印用のＩＣ発行レーザ刻印制御部６０３は、発行ソフト６０４と、ＩＣログファイル６０９と、ＵＩＤファイル６１０とを備えている。また、磁気発行用の磁気発行制御部６０５は、発行ソフト６０６と、磁気ログファイル６１５とを備えている。
【００９１】
ＩＣカード２０１が供給ステージ６０１の供給マガジン６０２からＩＣ発行レーザ刻印ステージ６０７に搬送されると、搬送されたＩＣカード２０１のチップＩＤをＩＣリーダライタ６０８で読み取る。読み取ったチップＩＤをＩＣログファイル６０９内で検索し、チップＩＤがＩＣログファイル６０９内に記録されていなければ、この搬送されたＩＣカード２０１はＩＣ未発行カードであるためＩＣ発行とレーザ刻印を実施し、ＩＣログファイル６０９とＵＩＤファイル６１０に必要データを記録する。
【００９２】
読み取ったチップＩＤがＩＣログファイル６０９内に記録されてある場合は、この搬送されたＩＣカード２０１はＩＣ発行済カードであるため、この搬送されたＩＣカード２０１にはＩＣ発行とレーザ刻印は実施しない。
【００９３】
また、ＩＣ発行済カードの場合、ＩＣログファイル６０９内の該当チップＩＤと同じ行に記録されてある処理結果を参照し、良品であることが記録されてあれば磁気発行ステージ６１３に搬送し、不良品であることが記録されてあればＩＣ発行不良品排出部６１１の不良品箱６１２へＩＣカードを排出する。ＩＣ発行レーザ刻印ステージ６０７で良品と判定されたＩＣカード２０１は、磁気発行ステージ６１３へ搬送される。
【００９４】
ＩＣカード２０１が磁気発行ステージ６１３に搬送されると、搬送されたＩＣカード２０１のチップＩＤをＩＣリーダライタ６１４で読み取る。読み取ったチップＩＤを磁気ログファイル６１５内で検索し、チップＩＤが磁気ログファイル６１５内に記録されていなければ、この搬送されたＩＣカード２０１は磁気未発行カードである。
【００９５】
また、読み取ったチップＩＤをＵＩＤファイル６１０内でも検索し、チップＩＤがＵＩＤファイル６１０内に記録されていなければ、この搬送されたＩＣカード２０１はＩＣ発行されていないＩＣカード２０１であり磁気発行するべきＩＣカード２０１ではないので磁気発行せずにＩＣカード２０１を磁気発行不良品排出部６１６の不良品排出箱６１７へ排出する。
【００９６】
読み取ったチップＩＤがＵＩＤファイル６１０内に記録されてあれば、この搬送されたＩＣカード２０１はＩＣ発行レーザ刻印ステージ６０７で良品となったＩＣカード２０１であるため磁気リーダライタ６１８で磁気ストライプに発行データを書き込む。読み取ったチップＩＤが磁気ログファイル６１５内に記録されてある場合は、この搬送されたＩＣカード２０１は磁気発行済カードであるため、この搬送されたＩＣカード２０１には磁気発行を実施しない。
【００９７】
また、磁気発行済カードの場合、磁気ログファイル６１５内の該当チップＩＤと同じ行に記録されてある処理結果を参照し、良品であることが記録されてあれば良品回収ステージ６１９に搬送し、不良品であることが記録されてあれば磁気発行不良品排出部６１６の不良品箱６１７へＩＣカード２０１を排出する。
【００９８】
磁気発行を実施した場合は、磁気発行完了後、再度ＩＣリーダライタ６１４で発行したＩＣカード２０１のチップＩＤを読み取り、磁気発行を実施する前に読み取ったチップＩＤと比較して発行する前と発行した後のＩＣカード２０１が入れかわってないかどうかを確認する。
【００９９】
もし、発行前に読み取ったチップＩＤと発行後に読み取ったチップＩＤが同一でなければこのＩＣカード２０１を磁気発行不良品排出部６１６の不良品箱６１７へ排出し、同一であれば磁気ログファイル６１５に必要事項を記録してＩＣカード２０１を良品回収ステージ６１９へ搬送し、良品マガジン６２０へ収納する。
【０１００】
本発明のＩＣカード発行システム導入後、動作検証を実施した。検証内容としては、未発行ＩＣカード（内蔵メモリのデータ書き込み領域と磁気ストライプにデータが書き込まれていない。）のＩＣ発行、磁気発行を確認する。
【０１０１】
また、印字領域に印字されていない非接触式ＩＣカード２，０００枚と発行済カード２５０枚を混ぜて投入し、発行済カードの再発行はゼロ、未発行ＩＣカードへ発行した書き込みデータ確認により発行不良品ゼロという結果を得た。
【０１０２】
さらに、ＩＣ未発行品５０枚をＩＣ発行レーザ刻印実施しないで磁気発行ステージに投入した結果、５０枚全数不良品として排出できた。
【０１０３】
なお、この実施例は、ＩＣカード２０１を発行するためのＩＣカード発行システムであったが、ＩＣタグを発行するためのＩＣタグ発行システムに適用できるのはもちろんである。
【産業上の利用可能性】
【０１０４】
１以上のＩＣチップを有し、かつ２以上の記録媒体を有するＩＣカード及びＩＣタグに適切なデータをそれぞれの記録媒体に発行し、それぞれのデータ間に確実な整合性を要求される分野にも利用することができる。
【図面の簡単な説明】
【０１０５】
【図１】本発明になるＩＣカード及びタグ発行システムの基本構成を示す工程図である。
【図２】本発明になるＩＣカード及びタグ発行システムの一対象となる非接触式ＩＣカードの構造を示す概略図である。
【図３】本発明になるＩＣカード及びタグ発行システムでのフローチャートである。
【図４】実際に導入したＩＣカード及びタグ発行システムを示す概略図である。
【符号の説明】
【０１０６】
１０１  供給ステージ
１０２  供給マガジン
１０３  ＩＣ発行レーザ刻印ステージ
１０４  レーザマーカ
１０５  ＩＣリーダライタ
１０６  制御部
１０７  発行ソフト
１０８  ＩＣ発行不良品排出部
１０９  不良品箱
１１０  磁気発行ステージ
１１１  磁気リーダライタ
１１２  ＩＣリーダライタ
１１３  磁気発行不良品排出部
１１４  不良品箱
１１５  良品回収ステージ
１１６  良品マガジン
１１７  ＩＣログファイル
１１８  ＵＩＤファイル
１１９  磁気ログファイル
２０１  非接触式ＩＣカード
２０２  内蔵メモリ
２０３  データ書込み領域
２０４  磁気ストライプ
２０５  印字領域
２０６  ＩＣチップ
２０７  チップＩＤ
６０１  供給ステージ
６０２  供給マガジン
６０３  ＩＣ発行レーザ刻印制御部
６０４  発行ソフト
６０５  磁気発行制御部
６０６  発行ソフト
６０７  ＩＣ発行レーザ刻印ステージ
６０８  ＩＣリーダライタ
６０９  ＩＣログファイル
６１０  ＵＩＤファイル
６１１  ＩＣ発行不良品排出部
６１２  不良品箱
６１３  磁気発行ステージ
６１４  ＩＣリーダライタ
６１５  磁気ログファイル
６１６  磁気発行不良品排出部
６１７  不良品箱
６１８  磁気リーダライタ
６１９  良品回収ステージ
６２０  良品マガジン
【図１】
2008262527.tif 000005
【図２】
2008262527.tif 000006
【図３】
2008262527.tif 000007
【図４】
2008262527.tif 000008